(57)【要約】【課題】携帯端末機器や携行品などを容易に収容可能で、かつ、使用時における水滴や汚れの付着を防止し、構造的に簡易でありながらも強度を保持できる簡易式箱体、この箱体を載上固定可能な固定体を提供する。【解決手段】簡易式箱体１〜６は、操作機能及・可視機能を有する平板形状の筺体を有し利用者の利用に供する利用物Ｕを収容可能な簡易式箱体であって、側面又は上面は、利用物の出し入れを可能に開口部が形成され、前面及び後面は、下面と一体となって箱本体が形成されている。箱本体は、前面から連なる部位と後面から連なる部位とで重畳部が形成され、重畳部を接着している。また、固定体７は、簡易式箱体を載上する突出した受け台と、簡易式箱体を固定する背台とを有する。【選択図】図９
2018100097.tif 000002
【特許請求の範囲】
【請求項１】
操作機能及び／又は可視機能を有する平板形状の筺体を有し利用者の利用に供する利用物を収容可能な簡易式箱体であって、
側面又は上面は、利用物の出し入れを可能に開口部が形成され、
前面及び後面は、下面と一体となって箱本体が形成されている
ことを特徴とする簡易式箱体。
【請求項２】
前記開口部は、側面に形成され、
前記箱本体は、前面と連なる部位と後面と連なる部位とで重畳部が形成され、
前記重畳部を密着していることを特徴とする請求項１記載の簡易式箱体。
【請求項３】
前記開口部は、上面に形成され、
前記箱本体は、前面と連なる部位と後面と連なる部位とで重畳部が形成され、
前記重畳部を密着していることを特徴とする請求項１記載の簡易式箱体。
【請求項４】
側面又は上面に形成された前記開口部は、少なくとも前面と連なる部位又は後面と連なる部位によって所望により閉口可能であることを特徴とする請求項１から３のいずれか記載の簡易式箱体。
【請求項５】
前記前面及びそれに連なる部位と、前記後面及びそれに連なる部位と、は別体として構成されていることを特徴とする請求項２から４のいずれか記載の簡易式箱体。
【請求項６】
前面の全部又は一部は、透明又は半透明の素材であることを特徴とする請求項１から５のいずれか記載の簡易式箱体。
【請求項７】
前面の全部又は一部は、導電素材であることを特徴とする請求項１から６のいずれか記載の簡易式箱体。
【請求項８】
側面又は上面は利用物の出し入れを可能に開口部が形成され、前面及び後面は下面と一体となって形成された簡易式箱体を載上固定可能な固定体であって、
前記簡易式箱体を載上する突出した受け台と、
前記簡易式箱体を固定する背台と
を有することを特徴とする固定体。
【請求項９】
前記背台に延伸する脚部を有し、
前記脚部に角度調節機構及び／又は位置調節機構を取り付け可能な請求項８記載の固定体。
【請求項１０】
前記背台及び／又は前記脚部にはネジ孔が設けられ、
前記背台の頂部近傍中央に前記ネジ孔が設けられていることを特徴とする請求項８又は９記載の固定体。
【請求項１１】
請求項１から７のいずれか記載の簡易式箱体と、請求項８から１０のいずれか記載の固定体とを組み合わせて使用し、前記簡易式箱体及び前記固定体を配置した室内空間。
【請求項１２】
前記簡易式箱体及び前記固定体の反対側に鏡を離間して配置した請求項１１記載の室内空間。
【発明の詳細な説明】
【技術分野】
【０００１】
本発明は、携帯端末機器や携行品などを容易に収容可能な簡易式箱体、この簡易式箱体を載上固定可能な固定体、この固定体に取り付け可能な角度調節機構及び位置調節機構、これらを使用した室内空間に関し、携帯端末機器や携行品などの使用方法に利便性を付加して、より良い使用環境を提供するものに関する。
【背景技術】
【０００２】
スマートフォン、タブレットＰＣなどの携帯端末機器はここ数年で急速に普及して保有率が伸びており、もはや単一的機能が主であるノートＰＣや携帯型音楽プレイヤーよりも高い出荷台数となっている。このような携帯端末機器は、単なる通話機能・通信機能・情報処理機能といった単一的機能の役割を超え、趣味娯楽の道具であったり、便利的な道具であったりと、様々な形での利用を実現している。
【０００３】
すなわち、着信を待ちながら持ち歩くモバイル端末としての役割ではなく、図書館であったり、居間であったり、劇場であったり、料理教室であったり、塾であったりと、携帯端末機器を持ち込んだ空間を容易に別空間に変化させている。
【０００４】
このような中、壁面に固定されてタブレット端末の保持構造を着脱可能に具備している端末ホルダーが特許文献１に開示されている。端末ホルダーＥＨは、ベース板２に取り付けられたベースブロック１を介して壁面に固定され、ベース板２と表面板４の間にタブレット端末ＴＣを挟持し、表面板４には端末の画面大きさに見合う画面用角穴が形成されている。
【先行技術文献】
【特許文献】
【０００５】
【特許文献１】特開２０１５−１６９７５９号公報（段落［０００７］等、図１）
【発明の概要】
【発明が解決しようとする課題】
【０００６】
しかしながら、特許文献１の端末ホルダーは、タブレット端末の画面が露出した構造となっていることから、画面に水滴や汚れが付着する使用環境下では好ましくない。
【０００７】
また、特許文献１の端末ホルダーは、タブレット端末ＴＣの外形等に鑑みて選択されたスペーサを介して端末ＴＣを挟持していることから、端末の収容の容易性に欠ける。
【０００８】
一方で、端末の収容の容易性に鑑みれば簡易な構造であることが望ましいが、簡易である程強度がなくなるなど構造的な問題も発生する。
【０００９】
そこで、本発明は、携帯端末機器や携行品などを容易に収容可能で、かつ、使用時における水滴や汚れの付着を防止し、構造的に簡易でありながらも強度を保持できる簡易式箱体を提供する。また、この箱体を載上固定可能な固定体、この固定体に取り付け可能な角度調節機構及び位置調節機構、これらを使用した室内空間を提供する。
【課題を解決するための手段】
【００１０】
本発明は、上記課題を解決するために、以下のものを提供する。
【００１１】
（１）  操作機能及び／又は可視機能を有する平板形状の筺体を有し利用者の利用に供する利用物を収容可能な簡易式箱体であって、側面又は上面は、利用物の出し入れを可能に開口部が形成され、前面及び後面は、下面と一体となって箱本体が形成されていることを特徴とする簡易式箱体。
【００１２】
本発明によれば、側面又は上面は開口部が形成され、前面と後面と下面とが一体となって箱本体が形成されている簡易式箱体は、構造が簡易であり、携帯端末機器や携行品などの利用物を開口部から容易に収容可能である。また、収容された利用物は一体となった前面と後面と下面とで覆われることから、使用時における利用物への水滴や汚れの付着を防止することができるとともに、利用者は利用物の濡れや汚れを気にすることなく専念することができる。なお、簡易式箱体の開口部は組立状態において開口され、使用時には全部又は一部が閉口されるものであってもよい。
【００１３】
（２）  前記開口部は、側面に形成され、前記箱本体は、前面と連なる部位と後面と連なる部位とで重畳部が形成され、前記重畳部を接着していることを特徴とする簡易式箱体。
【００１４】
本発明によれば、側面を開口部として他面を箱本体で形成されており、前面と連なる部位と後面と連なる部位とで形成される重畳部を密着していることから、重畳部の強度を増すことができる。なお、後面及び下面は固定体と密着することで強度を増すことができ、前面は操作機能や可視機能を阻害しないようにそのままで使用する。重畳部を密着するには、接着、熱圧着、両面テープ、ホッチキス留めなど、いずれであってもよい。
【００１５】
（３）  前記開口部は、上面に形成され、前記箱本体は、前面と連なる部位と後面と連なる部位とで重畳部が形成され、前記重畳部を密着していることを特徴とする簡易式箱体。
【００１６】
本発明によれば、上面を開口部として他面を箱本体で形成されており、前面と連なる部位と後面と連なる部位とで形成される重畳部を密着していることから、重畳部の強度を増すことができる。なお、後面及び下面は固定体と密着することで強度を増すことができ、前面は操作機能や可視機能を阻害しないようにそのままで使用する。重畳部を密着するには、接着、熱圧着、両面テープ、ホッチキス留めなど、いずれであってもよい。
【００１７】
（４）  側面又は上面に形成された前記開口部は、少なくとも前面と連なる部位又は後面と連なる部位によって所望により閉口可能であることを特徴とする簡易式箱体。
【００１８】
本発明によれば、開口部を所望により閉口可能としたことで、開口部からの利用物の脱落防止や使用時における利用物への水滴や汚れの付着の防止に効果的に寄与し得る。開口部の閉口は、前面と連なる部位及び／又は後面と連なる部位を利用して行う。
【００１９】
（５）  前記前面及びそれに連なる部位と、前記後面及びそれに連なる部位と、は別体として構成されていることを特徴とする簡易式箱体。
【００２０】
本発明によれば、簡易式箱体を別体となった複数のパーツを用いて構成することにより、素材，厚み，色合い，模様など好適な使用状態を提供し得る簡易式箱体を容易に構成することができる。
【００２１】
（６）  前面の全部又は一部は、透明又は半透明の素材であることを特徴とする簡易式箱体。
【００２２】
本発明によれば、前面の全部又は一部は透明又は半透明の素材であることから、前面から利用物を可視可能であり、前面を介して利用物の位置を確認して操作可能である。
【００２３】
（７）  前面の全部又は一部は、導電素材であることを特徴とする簡易式箱体。
【００２４】
本発明によれば、前面の全部又は一部は導電素材であることから、利用物としてスマートフォンやタブレット端末を使用する場合であっても、前面を介して利用物をタッチ操作可能である。
【００２５】
（８）  側面又は上面は利用物の出し入れを可能に開口部が形成され、前面及び後面は下面と一体となって形成された簡易式箱体を載上固定可能な固定体であって、前記簡易式箱体を載上する突出した受け台と、前記簡易式箱体を固定する背台とを有することを特徴とする固定体。
【００２６】
本発明によれば、簡易式箱体を載上する突出した受け台と、簡易式箱体を固定する背台とを有する固定体は、そのまま壁付又は鏡面付することで簡易式箱体を載上固定可能であるし、後述する角度調節機構や位置調節機構とともに使用することも可能である。固定体に簡易式箱体を載上固定することで、簡易式箱体の強度を保持することができる。
【００２７】
（９）  前記背台に延伸する脚部を有し、前記脚部に角度調節機構及び／又は位置調節機構を取り付け可能な固定体。
【００２８】
本発明によれば、脚部に角度調節機構や位置調節機構を取り付け可能であるから、簡易式箱体に収容する利用物の角度や位置を容易に調節でき、操作機能や可視機能を阻害することなく使用することができる。
【００２９】
（１０）  前記背台及び／又は前記脚部にはネジ孔が設けられ、前記背台の頂部近傍中央に前記ネジ孔が設けられていることを特徴とする固定体。
【００３０】
本発明によれば、室内の垂直面（壁面、鏡面など）に固定体を固定する際に、利用物が斜めに傾くことのないように、固定体を水平に維持することができる。三角形や五角形など鋭角の頂部を有する背台において、頂部にネジ孔が設けられてネジ留めすることで、固定体の水平状態を容易に保つことができる。
【００３１】
（１１）  前記簡易式箱体及び前記固定体を配置した室内空間。
（１２）  前記簡易式箱体及び前記固定体の反対側に鏡を離間して配置した室内空間。
【００３２】
本発明によれば、簡易式箱体及び固定体を配置して使用した室内空間によって、従来の生活空間より優れた環境を提供することができる。洗面化粧室、ドレッサー、トイレ、キッチン、寝室、各種部屋、子供部屋などにおいて、利用物としてスマートフォン、タブレット端末、鏡などを使用する際、利用物の機能を効果的に活用することができる。
【００３３】
例えば利用物としてスマートフォンやタブレット端末を使用する場合は、置き場所が定まっておらず、短時間であれば手で支えながら操作して可視することが主流である。長時間にわたる映画を見るので立て掛けたい、キッチンなどで濡れたり・汚れないように立て掛けたい、トイレなどで壁に掛けたい、洗面台の鏡面に架けたい、メイク映像や電子教室を見ながら鏡に映る自分の顔のメイクを仕上げたい、という種々の望みを叶えるものとして、本発明の簡易式箱体及び固定体を室内空間に配置することで、これらの利便性を提供することができる。
【００３４】
例えば、キッチンで初めて作る料理に取り組むとき、スマートフォンやタブレット端末の料理ページや料理アプリを見ながら料理をしたいという場合がある。料理本の目的のページを開きながら、そのすぐ傍で素材を切る、下ごしらえをする、煮る・炒めるなどの作業をする事は億劫で、料理本が水滴などで汚れてしまうこともある。本発明の簡易式箱体及び固定体を配置して使用した室内空間は、スマートフォンやタブレット端末の濡れや汚れを気にすることなく、また、位置調節や角度調節などを自在に行うことができ、見やすい・操作しやすい環境を提供して、利用者は料理に専念することができる。
【発明の効果】
【００３５】
本発明は、簡易な構造でありながらも強度を保持し、利用物への水滴や汚れの付着を防止することができる簡易式箱体及び固定体により、従来の生活空間より優れた環境を提供することができ、収容される利用物の機能を効果的に活用することができる。
【図面の簡単な説明】
【００３６】
【図１】本発明の実施の形態に係る第１の簡易式箱体を説明するための図である。
【図２】本発明の実施の形態に係る第２の簡易式箱体を説明するための図である。
【図３】本発明の実施の形態に係る第３の簡易式箱体を説明するための図である。
【図４】本発明の実施の形態に係る第４の簡易式箱体を説明するための図である。
【図５】本発明の実施の形態に係る第５の簡易式箱体を説明するための図である。
【図６】本発明の実施の形態に係る第６の簡易式箱体を説明するための図である。
【図７】本発明の実施の形態に係る簡易式箱体の使用例を説明するための図である。
【図８】本発明の実施の形態に係る固定体を説明するための図である。
【図９】簡易式箱体と固定体の使用を説明するための図である。
【図１０】簡易式箱体と固定体の使用を説明するための図である。
【図１１】簡易式箱体と固定体の使用を説明するための図である。
【図１２】固定体に取り付け可能な第１の調節機構の一例を示す図である。
【図１３】固定体に取り付け可能な第２の調節機構の一例を示す図である。
【図１４】第１の調節機構を使用した状態を示す図である。
【図１５】第２の調節機構を使用した状態を示す図である。
【図１６】第１の調節機構を使用した状態を示す図である。
【図１７】第２の調節機構を使用した状態を示す図である。
【図１８】角度調節機構を説明するための模式断面図である。
【図１９】固定体の応用例を説明するための図である。
【図２０】室内空間の一例を示す図である。
【図２１】室内空間の一例を示す図である。
【図２２】室内空間の一例を示す図である。
【図２３】室内空間の一例を示す図である。
【発明を実施するための形態】
【００３７】
以下、本発明の実施の形態について図面に基づいて説明する。
図１〜図６は、本発明の実施の形態に係る簡易式箱体を説明するための図であり、図１は第１の簡易式箱体１、図２は第２の簡易式箱体２、図３は第３の簡易式箱体３、図４は第４の簡易式箱体４、図５は第５の簡易式箱体５、図６は第６の簡易式箱体６を示しており、各図において、（ａ）は簡易式箱体の斜視図、（ｂ）は簡易式箱体の横断面図、（ｃ）は箱本体の展開図である。
【００３８】
図１において、簡易式箱体１は、上面１Ａ，後面１Ｂ，下面１Ｃ，下面１Ｃａ，前面１Ｄ，上面１Ｅに折目線で区画された１枚のシート状部材を各折目線に沿って折ることで組み立て、後面１Ｂと連なる上面１Ａと前面１Ｄと連なる上面１Ｅとで重畳部を形成し、重畳する上面１Ａ及び上面１Ｅを接着又は圧着するなどして固着部Ｐ１にて固着している。なお、固着部Ｐ１を構成する固着部材は予め上面１Ａ，１Ｅに塗布されていてもよい。簡易式箱体１の左側面及び右側面は開口部Ｏが形成されることから、横方向から利用物の出し入れを可能にしている。下面１Ｃａは利用物Ｕの落下防止爪であり、開口部Ｏの一部を下面１Ｃから連なって覆うように構成される。
【００３９】
第１の簡易式箱体１は、前面１Ｄ及び後面１Ｂは下面１Ｃと一体となって箱体を形成していることから、開口部Ｏを左右両側面（左側面又は右側面の片側面であってもよい。）として対向する前面１Ｄ及び後面１Ｂの間に被用物を収容でき、構造的に簡易である。また、上面１Ａ，１Ｅを重畳して固着部Ｐ１で固着することにより箱体としての強度を保持することができる。なお、利用物が位置する前面１Ｄ以外の面に凹凸形状を施すことでも強度を増すことができる。
【００４０】
第１の簡易式箱体１は、少なくとも前面１Ｄは利用物の操作機能や可視機能を害することがないよう、利用物が可視できる透明又は半透明の素材（アクリル、ＰＥＴ等）であり、例えば、スマートフォンやタブレット端末などタッチ入力可能なデバイスを使用する場合には、導電性を有する素材（ＰＥＴ等）であることが好ましい。なお、このような素材については、第２〜第６の簡易式箱体２，３，４，５，６についても同様である。
【００４１】
図２において、簡易式箱体２は、上面２Ａ，後面２Ｂ，下面２Ｃに折目線で区画されたシート状部材２１と、上面２Ｆ，後面２Ｅ，下面２Ｄに折目線で区画されたシート状部材２２と、の２枚のシート状部材を各折目線に沿って折ることで組み立て、後面２Ｂと連なる上面２Ａと前面２Ｅと連なる上面２Ｆとを貼り合せて重畳部を形成し、重畳する上面２Ａ及び上面２Ｆを接着又は圧着するなどして固着部Ｐ２にて固着しているとともに、後面２Ｂと連なる下面２Ｃと前面２Ｅと連なる下面２Ｄとを貼り合せて重畳部を形成し、重畳する下面２Ｃ及び下面２Ｄを接着又は圧着するなどして固着部Ｐ３にて固着している。なお、固着部Ｐ２，Ｐ３を構成する固着部材は予め上面２Ａ，２Ｆや下面２Ｃ，２Ｄに塗布されていてもよい。簡易式箱体１の左側面及び右側面は開口部Ｏが形成されることから、横方向から利用物の出し入れを可能にしている。
【００４２】
第２の簡易式箱体２は、前面２Ｅ及び後面２Ｂはそれぞれの下面２Ｄ及び下面２Ｃと一体となって箱体を形成していることから、開口部Ｏを左右両側面（左側面又は右側面の片側面であってもよい。）として対向する前面２Ｅ及び後面２Ｂの間に被用物を収容でき、構造的に簡易である。また、上面２Ａ，２Ｆを重畳して固着部Ｐ２で固着し、下面２Ｃ，２Ｄを重畳して固着部Ｐ３で固着することにより箱体としての強度を保持することができる。なお、利用物が位置する前面２Ｅ以外の面に凹凸形状を施すことでも強度を増すことができる。
【００４３】
また、シート状部材２１は厚手の色物素材を使用し、シート状部材２２は薄手の透明素材を使用している。後面２Ｂに位置するシート状部材２１を厚手素材とすることにより、後述する固定体７と簡易式箱体２とを接着する際に必要な簡易式箱体２の強度を箱本体に持たせ易くしている。また、全体が透明な箱本体であると固着部Ｐ２，Ｐ３が目立ってしまいがちであるが、後面２Ｂ側のシート状部材２１を色の付いたシートとすると固着部Ｐ２，Ｐ３が目立たないように視覚的に隠すことができ、更にはデザインを施したシート状部材２１を利用すると審美的なインテリアとしても効果を発揮できる。なお、別な効果の発揮のさせ方として、例えば図１のような「１枚の透明シートから組み立てるもの」の後面側に補強目的やデザイン付加の目的でシートを貼ってもよい。
【００４４】
図３において、簡易式箱体３は、後面３Ａ，下面３Ｂ，前面３Ｃ，右側面３Ｄ及び３Ｅ，左側面３Ｆ及び３Ｇに折目線で区画された１枚のシート状部材を各折目線に沿って折ることで組み立て、後面３Ａと連なる側面３Ｄ，３Ｆと前面３Ｃと連なる側面３Ｅ，３Ｇとで２個の重畳部を形成し、重畳する右側面２Ｄ及び２Ｅ，左側面２Ｆ及び２Ｇをそれぞれ接着又は圧着するなどして固着部Ｐ４，Ｐ５にて固着している。なお、固着部Ｐ４，Ｐ５を構成する固着部材は予め側面３Ｄ，３Ｅ，３Ｆ，３Ｇに塗布されていてもよい。簡易式箱体２の上面は開口部Ｏが形成されることから、縦方向から利用物の出し入れを可能にしている。
【００４５】
第３の簡易式箱体３は、前面３Ｃ及び後面３Ａは下面３Ｂと一体となって箱体を形成していることから、開口部Ｏを上面として対向する前面３Ｃ及び後面３Ａの間に利用物を収容でき、構造的に簡易である。また、右側面３Ｄ及び３Ｅ，左側面３Ｆ及び３Ｇをそれぞれ重畳して固着部Ｐ４，Ｐ５で固着することで箱体としての強度を保持することができる。なお、利用物が位置する前面３Ｃ以外の面に凹凸形状を施すことでも強度を増すことができる。
【００４６】
図４において、簡易式箱体４は、側面４Ａ及び４Ｃ，後面４Ｂ，下面４Ｄに折目線で区画されたシート状部材４１と、側面４Ｅ及び４Ｇ，前面４Ｆ，下面４Ｈに折目線で区画されたシート状部材４２と、の２枚のシート状部材を各折目線に沿って折ることで組み立て、後面４Ｂと連なる下面４Ｄと前面４Ｆと連なる下面４Ｈとを貼り合せて重畳部を形成し、重畳する下面４Ｄ及び下面４Ｈを接着又は圧着するなどして固着部Ｐ８にて固着しているとともに、後面４Ｂと連なる左側面４Ｃと前面４Ｆと連なる左側面４Ｇとを貼り合せて重畳部を形成し、重畳する左側面４Ｃ及び左側面４Ｇを接着又は圧着するなどして固着部Ｐ６にて固着しているとともに、後面４Ｂと連なる右側面４Ａと前面４Ｆと連なる右側面４Ｅとを貼り合せて重畳部を形成し、重畳する右側面４Ａ及び右側面４Ｅを接着又は圧着するなどして固着部Ｐ７にて固着している。なお、固着部Ｐ６，Ｐ７，Ｐ８を構成する固着部材は予め側面４Ｃ，４Ｇや側面４Ａ，４Ｅや下面４Ｄ，４Ｈに塗布されていてもよい。簡易式箱体１の上面は開口部Ｏが形成されることから、縦方向から利用物の出し入れを可能にしている。
【００４７】
第４の簡易式箱体４は、前面４Ｆ及び後面４Ｂはそれぞれの下面４Ｈ及び４Ｄと一体となって箱体を形成していることから、開口部Ｏを上面として対向する前面４Ｆ及び後面４Ｂの間に利用物を収容でき、構造的に簡易である。また、右側面４Ａ及び４Ｅ，左側面４Ｃ及び４Ｇをそれぞれ重畳して固着部Ｐ６，Ｐ７で固着するとともに、下面４Ｄ及び４Ｈを重畳して固着部Ｐ８で固着することで箱体としての強度を保持することができる。なお、利用物が位置する前面４Ｆ以外の面に凹凸形状を施すことでも強度を増すことができる。
【００４８】
また、シート状部材４１は厚手の色物素材を使用し、シート状部材４２は薄手の透明素材を使用している。後面４Ｂに位置するシート状部材４１を厚手素材とすることにより、後述する固定体７と簡易式箱体４とを接着する際に必要な簡易式箱体４の強度を箱本体に持たせ易くしている。また、全体が透明な箱本体であると固着部Ｐ６，Ｐ７，Ｐ８が目立ってしまいがちであるが、後面４Ｂ側のシート状部材４１を色の付いたシートとすると固着部Ｐ６，Ｐ７，Ｐ８が目立たないように視覚的に隠すことができ、更にはデザインを施したシート状部材４１を利用すると審美的なインテリアとしても効果を発揮できる。なお、別な効果の発揮のさせ方として、例えば図１や図３のような「１枚の透明シートから組み立てるもの」の後面側に補強目的やデザイン付加の目的でシートを貼ってもよい。
【００４９】
図５において、簡易式箱体５は、左側面５Ａ，後面５Ｂ，右側面５Ｃ，前面５Ｄ，左側面５Ｅ，上面５Ｆ，貼り合せ面５Ｇ，下面５Ｈ，下面５Ｊに折目線で区画された１枚のシート状部材を各折目線に沿って折ることで組み立てる。シート状部材は、前面５Ｄには利用物に搭載されたカメラレンズの位置に合わせてカメラレンズ孔５１が形成され、後面５Ｂには利用物に搭載されたカメラレンズの位置に合わせてカメラレンズ孔５２が形成されている。また、下面５Ｈ，５Ｊには利用物の充電端子に外部から接続可能な接続孔５３ａ，５３ｂがそれぞれ形成されており、組立状態においては下面５Ｈ，５Ｊが重畳された１つの接続孔５３となる。
【００５０】
簡易式箱体５の第１の組立状態において、後面５Ｂと連なる左側面５Ａと前面５Ｄと連なる左側面５Ｅとで重畳部を形成し、重畳する左側面５Ａ及び左側面５Ｅを接着又は圧着するなどして固着部（不図示）にて固着するとともに、後面５Ｂと連なる下面５Ｊと前面５Ｄと連なる下面５Ｈとで重畳部を形成し、重畳する下面５Ｊ及び下面５Ｈを接着又は圧着するなどして固着部Ｐ９にて固着している。この第１の組立状態において、簡易式箱体５の上面は開口されていることから、縦方向から利用物の出し入れを可能にしている。
【００５１】
簡易式箱体５は、前面５Ｄ及び後面５Ｂはそれぞれの下面５Ｈ及び５Ｊと一体となって箱体を形成していることから、開口部Ｏを上面として対向する前面５Ｄ及び後面５Ｂの間に被用物を収容でき、構造的に簡易である。また、下面５Ｈ，５Ｊを重畳して固着部Ｐ９で固着するとともに、左側面５Ａ，５Ｅを重畳して固着部（不図示）で固着することにより箱体としての強度を保持することができる。なお、利用物が位置する前面５Ｄ以外の面に凹凸形状を施すことでも強度を増すことができる。
【００５２】
簡易式箱体５の第１の組立状態において、利用物を収容した後に、上面５Ｆで開口を覆い、貼り合せ面５Ｇと後面５Ｂとを重畳して固着部Ｐ１０で固着することで、開口部を閉口する。
【００５３】
図６において、簡易式箱体６は、後面６Ａ，下面６Ｂ，下面６Ｂａ，前面６Ｃ，上面６Ｄ，最上面６Ｅに折目線で区画された１枚のシート状部材を各折目線に沿って折ることで組み立て、後面６Ａの一部面と前面６Ｃから６Ｄを介して連なる６Ｅとで重畳部を形成し、重畳する後面６Ａの一部及び最上面６Ｅを接着又は圧着するなどして固着する。簡易式箱体６の左側面及び右側面は開口部Ｏが形成されることから、横方向から利用物の出し入れを可能にしている。下面６Ｂａは、利用物Ｕの落下防止爪である。
【００５４】
第６の簡易式箱体６は、前面６Ｃ及び後面６Ａは下面６Ｂと一体となって箱体を形成していることから、開口部Ｏを左右両側面（左側面又は右側面の片側面であってもよい。）として対向する前面６Ｃ及び後面６Ａの間に利用物を収容でき、構造的に簡易である。また、後面６Ａの一部及び最上面６Ｅを重畳して固着することで箱体としての強度を保持することができる。なお、利用物が位置する前面６Ｃ以外の面に凹凸形状を施すことでも強度を増すことができる。
【００５５】
また、第６の簡易式箱体６の後面６Ａ及び最上面６Ｅには、重畳した場合に一致する貫通孔Ｐが形成されており、壁面又は固定体への取付けを容易にしている。貫通孔Ｐにネジ又はビスを挿通して取り付け可能である。
【００５６】
図７は、本発明の実施の形態に係る簡易式箱体１〜６に摩擦部材Ｍを設けた例を説明するための図である。摩擦部材Ｍは、収容した利用物をタッチ入力操作する際に利用物の可動を規制・抑制するもので、ウレタン、ソフトゴム、シリコンシート等を使用することができる。摩擦部材Ｍは、簡易式箱体１〜６の内壁面を形成する箇所であって、前面以外の箇所に張付けされており、図７では後面及び下面に亘って設けている例を示している。
【００５７】
図８は、本発明の実施の形態に係る固定体７を説明するための図であり、（ａ）は斜視図、（ｂ）は横断面図である。
【００５８】
図８に示すＴ字形の固定体７は、基台とそれに直交して突出した受け台７Ｃとで構成される。基台は、簡易式箱体を固定する背台７Ａとそれに延伸する脚部７Ｂを有し、受け台７Ｃは背台７Ａと脚部７Ｂとを区画している。脚部７Ｂは、後述する角度調節機構や位置調節機構を取り付け可能であるが、このような機構を取り付けない場合は脚部７Ｂを設けることなく、背台７Ａ及び受け台７ＣとでＬ字形の固定体を構成してもよい。
【００５９】
背台７Ａには、前面及び後面を貫通する貫通孔Ｑが形成され、固定体７の壁面等への取付け時に、貫通孔Ｑにネジ又はビスを挿通して取り付け可能である。
【００６０】
図９〜図１１は、簡易式箱体１〜６と固定体７の使用を説明するための図であり、利用物Ｕとしてスマートフォン・タブレット端末や鏡を収容して利用する例を示している。スマートフォンの画面サイズは４．５〜５．５インチ、タブレット端末の画面サイズは７〜１０インチが主流であり、簡易式箱体１〜６の前面サイズもこれらのデバイスに適用可能な範囲を採用して設計する。
【００６１】
図９に示す例においては、簡易式箱体１〜６内に利用物Ｕを縦入れ又は横入れし、予め壁面又は鏡面等に設置してある固定体７に載上する。簡易式箱体１〜６と固定体７との固定は必要に応じて両面テープ等を用いて行ない、使用後は両面テープを剥離して固定体７から簡易式箱体１〜６を取り外す。利用物Ｕに見合った簡易式箱体１〜６を適宜使用できる。
【００６２】
図１０に示す例においては、予め壁面又は鏡面等に設置してある固定体７に予め簡易式箱体１〜６が載上して固定されており、簡易式箱体１〜６内に利用物Ｕを縦入れ又は横入れして使用する。使用後は簡易式箱体１〜６内の利用物Ｕを取り出す。予め設置済みの簡易式箱体１〜６及び固定体７を使用できる。
【００６３】
図１１に示す例においては、固定体７は壁面又は鏡面等に接着又はネジ留め・ビス止め等で固定されている。固定体７には、利用物Ｕが摩擦部材Ｍを下敷きにして収容された簡易式箱体１〜６が載上されている。簡易式箱体１〜６と固定体７とは、両面テープで固定されている。利用物Ｕの操作面や可視面を簡易式箱体１〜６の前面となるように収容し、この前面を介して操作や可視を可能としている。
【００６４】
なお、簡易式箱体１〜６と固定体７とは、固定体７は簡易式箱体１〜６の面積に対して小さくても、固定体７に背面設置面積及び受け台が有れば利用物Ｕの重量を許容範囲内として十分に受けることができることから、受け台及び背台によって固定体７の狭小化に資することができる。
【００６５】
図１２及び図１３は、固定体に取り付け可能な調節機構の一例を示す図である。調節機構には角度調節機構と位置調節機構とがあり、固定体７は、角度調節機構によって垂直方向からの傾斜角を任意に設定可能となり、位置調節機構によって垂直方向の起立位置を任意に設定可能となる。
【００６６】
図１２及び図１３において、角度調節体８は、コの字形の溝穴８１及び溝穴８１の下方に突設した軸止め８２で基台を一体として構成し、軸止め８２の両側端に回転軸８３が設けられており、回転軸８３には回転軸と略同径の軸穴を有する回転軸受け８５が装着される。溝穴８１に固定体７の脚部７Ｂが嵌設される。
【００６７】
可動受け体９Ａ，９Ｂは、角度調節体８の軸止め８２及び回転軸受け８５を嵌設可能な溝穴９１Ａ，９１Ｂが設けられ、回転軸受け８５を溝穴９１Ａ，９１Ｂに嵌装することで回転軸受け８５の可動を規制し、回転軸８３と一体となった角度調節体８の回転を可能としている。すなわち、角度調節体８及び可動受け体９Ａ，９Ｂによって角度調節機構を構成している。
【００６８】
また、可動受け体９Ａ，９Ｂは、後述する上下可動体１０Ａ，１０Ｂを装着可能な装着部９３Ａ，９３Ｂが設けられ、上下可動体１０Ａ，１０Ｂによって設定された起立位置を止めネジ９４Ａ，９４Ｂで固定することができる。一例として、可動受け体９Ａの前面には突出した装着受け部９２Ａが設けられており、装着受け部９２Ａ内に形成された中空円筒によって装着部９３Ａが設けられている。また、一例として、可動受け体９Ｂの後面には突出した装着部９３Ｂが設けられている。
【００６９】
上下可動体１０Ａは、土台１０４Ａからの高さ位置を上ポール１０１Ａ及び下ポール１０２Ａの相対的位置によって可動する移動スタンドであり、上ポール１０１Ａの一部を挿入した下ポール１０２Ａの挿入位置を調節して留め部１０３Ａで固定することで位置調節を可能としている。また、上下可動体１０Ｂは、ネジ孔Ｑに挿通されたネジ等で壁面に設置される上下可動板であり、基部１０１Ｂの中央に形成されたレール溝部１０２Ｂをガイドレールとして装着受け体９Ｂとの相対的位置によって位置調節を可能としている。すなわち、可動受け体９Ａ，９Ｂ及び上下可動体１０Ａ，１０Ｂによって位置調節機構を構成している。
【００７０】
図１４〜図１７は、第１及び第２の調節機構を使用した状態を示す図であり、いずれの調節機構においても固定体７に簡易式箱体１〜６を載上固定して使用する。なお、高さ位置の調節は、図１４，図１７に示す第１の調節機構においては上下可動体１０Ａの２本のポールを用いて行い、図１５，図１７に示す第２の調節機構においては上下可動体１０Ｂのガイドレールを用いて行う。
【００７１】
図１８は、角度調節機構を説明するための模式断面図であり、（ａ）は直立姿勢、（ｂ）は倒立姿勢、(ｃ)は、Ｕを正面から見た状態を示している。可動受け体９Ａ，９Ｂを基台とし、回転軸９３を介して設置された固定体７及び角度調節体８は、溝穴９１Ａ，９１Ｂとして形成された空隙の範囲内で回転可能となっており、可動受け体９Ａ，９Ｂと角度調節体８とが当接する位置で回転が規制される。
【００７２】
図１９は、固定体７１〜７５の応用例を説明するための図である。固定体７１〜７５には、固定体を室内の垂直面に固定する際に釘やネジ、ピンなどを使って留めるためのネジ孔Ｑ１〜Ｑ４が設けられている。ここで、固定体を垂直面に水平に固定する際にはネジ孔の位置は重要であり、図１９（ａ）に示すように単に四隅にネジ孔Ｑ１〜Ｑ４があるよりも、図１９（ｂ）に示すように背台の頂部近傍中央にネジ孔ＱＭがある方が、ＱＭを支点として支点と重心を結ぶ線が受け台７Ｃの面と直角を成すことで、水平維持が容易になる。また、図１９（ｃ）〜（ｅ）に示すように、三角形又は五角形の頂部にネジ孔ＱＭを設けると、同様に水平維持が容易になる。
【００７３】
図２０は、室内空間を洗面化粧室とした場合の使用例を示している。洗面化粧室内に設置された鏡Ｍの鏡面に簡易式箱体１〜６及び固定体７が配置されている。使用時には、利用者が利用物Ｕを簡易式箱体１〜６に収容し、利用物を操作・可視しながら鏡Ｍに映される自己像を目視することができる。洗面時の水滴や指に付着した洗面液などを気にすることなく簡易式箱体１〜６を介して利用物を扱うことができる。
【００７４】
図２１は、室内空間に設置されたドレッサー（化粧台）の鏡Ｍの鏡面に簡易式箱体１〜６及び固定体７が配置されている。使用時には、利用者が利用物Ｕを簡易式箱体１〜６に収容し、利用物を操作・可視しながら鏡Ｍに映される自己像を目視することができる。例えば、スマートフォンを利用物として、メークアップのアプリを操作・可視しながらメイクをすることができる。メイク時の指に付着した化粧液などを気にすることなく簡易式箱体１〜６を介して利用物を扱うことができる。
【００７５】
図２２及び図２３は、室内空間に設置されたドレッサー（化粧台）の鏡Ｍの反対側に離間して簡易式箱体１〜６及び固定体７が配置されている。また、利用物として鏡を使用している。利用物は前姿を、鏡Ｍ（大鏡）は後姿を映し出すことから、同時に前後の姿を確認しながら身だしなみを整えることができる。
【００７６】
図２０〜図２３に示す室内空間は、既存の鏡と、本発明の簡易式箱体に収容される鏡を利用することで、容易に頭頂や後頭部を映して見ることが可能になるとともに、鏡を手で支えることなく映すことができるので、染毛や頭髪セットなどを容易に行うことができる。
【符号の説明】
【００７７】
１，２，３，４，５，６  簡易式箱体（１Ｃａ  落下防止爪，３Ｃａ  落下防止爪）
７，７１〜７５  固定体（７Ａ  背台、７Ｂ  脚部、７Ｃ  受け台）
８  角度調節体（８１  溝穴、８２  軸止め、８３  回転軸、８５  回転軸受け）
９Ａ  可動受け体（９１Ａ  溝穴、９２Ａ  装着受け部、９３Ａ  装着部、９４Ａ  止めネジ）
９Ｂ  可動受け体（９１Ｂ  溝穴、９３Ｂ  装着部、９４Ｂ  止めネジ）
１０Ａ  上下可動体（１０１Ａ  上ポール、１０２Ａ  下ポール、１０３Ａ  留め部、１０４Ａ  土台）
１０Ｂ  上下可動体（１０１Ｂ  基部、１０２Ｂ  ガイドレール）
Ｏ  開口部
Ｐ  貫通孔
Ｐ１〜Ｐ１０  固着部
Ｑ，Ｑ１〜Ｑ４，ＱＭ  ネジ孔
Ｕ  利用物
Ｍ  摩擦部材
【図１】
2018100097.tif 000003
【図２】
2018100097.tif 000004
【図３】
2018100097.tif 000005
【図４】
2018100097.tif 000006
【図５】
2018100097.tif 000007
【図６】
2018100097.tif 000008
【図７】
2018100097.tif 000009
【図８】
2018100097.tif 000010
【図９】
2018100097.tif 000011
【図１０】
2018100097.tif 000012
【図１１】
2018100097.tif 000013
【図１２】
2018100097.tif 000014
【図１３】
2018100097.tif 000015
【図１４】
2018100097.tif 000016
【図１５】
2018100097.tif 000017
【図１６】
2018100097.tif 000018
【図１７】
2018100097.tif 000019
【図１８】
2018100097.tif 000020
【図１９】
2018100097.tif 000021
【図２０】
2018100097.tif 000022
【図２１】
2018100097.tif 000023
【図２２】
2018100097.tif 000024
【図２３】
2018100097.tif 000025